(57)【特許請求の範囲】
【請求項１】
被検眼の所定の距離に検査視標を呈示する視標呈示手段と、被検眼に負荷するために被検眼眼前に挿脱される複数の光学素子と、被検眼の視野を確保するために可視光をほぼ透過する材料により形成された，前記複数の光学素子を保持するディスク型の光学素子保持手段と、該光学素子保持手段を駆動する駆動手段と、を有することを特徴とする視力検査装置。
【請求項２】
請求項１の複数の光学素子の１つは前記検査視標までの光学距離を所定の遠用距離にするレンズであることを特徴とする視力検査装置。
【発明の詳細な説明】
【０００１】
【産業上の利用分野】
本発明は、集団健診等のスクリ−ニングに使用する簡易型の視力検査装置に関する。
【０００２】
【従来の技術】
従来、集団健診、適性検査等のスクリ−ニングに使用される視力検査装置としては、視力表を所定の検眼距離だけ被検眼から離して配置するタイプのものが普及している。遠用視力を測定するには遠用視力測定用視力表を５ｍ等前方に配置し、近用視力を測定するためには近用視力測定用視力表を５０ｃｍ等前方に配置する。
【０００３】
また、近時においては、筐体内部に遠用視力測定用視力表視標と近用視力測定用視力表を備え、各視標光束を別光路でミラ−やレンズ系により被検眼に導き、光学的に検眼距離を確保する装置が知られている。この装置においては、光学的に遠用距離や近用距離を作り出している。
【０００４】
【発明が解決しようとする課題】
しかし、被検眼の５ｍ前方に視力表を配置するタイプのものは、検査に要するスペ−スが大きいので、スペ−スの有効利用の観点からは好ましくない。また、近用視力を測定するためには、別個の視力表を用意しなければならないという問題もある。
後者の筐体内の視標を視認する装置では、内部を覗き込むようになるため、いわゆる機械近視の発生が避けられず、得られる測定デ−タの信頼性が落ちてしまうという欠点があった。
【０００５】
本発明の目的は、上記欠点に鑑み、機械近視の発生を抑えた視力検査装置を提供することにある。
また、コンパクトな装置であって遠用視力と近用視力の測定が行える視力検査装置を提供することにある。
【０００６】
【課題を解決するための手段】
上記目的を達成するために、本発明の視力検査装置は次のような構成を有することを特徴とする。
【０００８】
（１）  被検眼の所定の距離に検査視標を呈示する視標呈示手段と、被検眼に負荷するために被検眼眼前に挿脱される複数の光学素子と、被検眼の視野を確保するために可視光をほぼ透過する材料により形成された，前記複数の光学素子を保持するディスク型の光学素子保持手段と、該光学素子保持手段を駆動する駆動手段と、を有することを特徴とする。
【０００９】
（２）  （１）の複数の光学素子の１つは前記検査視標までの光学距離を所定の遠用距離にするレンズであることを特徴とする。
【００１２】
【実施例】
以下、本発明の一実施例を図面に基づいて詳細に説明する。
図１は、実施例の装置の全体構成を説明する外観斜視図である。この装置はＶＤＴ作業の視機能への影響を検査するために必要なデ−タを得るための装置であり、デ−タは図示しないＩＣカ−ドリ−ダを介して解析装置に送られる。
１は基台、２は視標呈示部である。視標呈示部２は基台１に固設された支柱３により保持され、その視標の提示面は後述する顎台及び額当てにより固定される被検眼に対して５０ｃｍになるように置かれている。
【００１３】
視標呈示部２の正面には検査用視標が形成された視標板４が取り付けられている。視標板４は乳白色のフィルムやガラス等からなり、その表面には図２に示すように、放射状の乱視検査用視標５、２４個のリング６及び各リング６の中に位置する検査距離５０ｃｍ用のランドルト環視標７が印刷等により形成されている。ランドルト環視標７は視力値０．１〜１．２のものが用意されており、同じ視力値のものが切れ目方向を異にして縦に３個づつ設けられている。８は呈示視標を特定するためのＬＥＤであり、ＬＥＤ８は各視標の左肩上方に位置するように視標板４の背後に埋め込まれている。ランドルト環視標７は、このＬＥＤ８が点灯することにより被検者が判読すべき視標が特定される。
【００１４】
視標板４の下方には眼位検査視標９が設けられている。眼位検査視標９は緑フィルタで形成された枠視標９ａ，枠視標９ａの中に位置する赤フィルタで形成された点視標９ｂから構成される。斜線領域１０は遮光部である。眼位検査視標９の後面には図示なき蛍光灯が配置してあり、検査時には蛍光灯の点灯により眼位検査視標９を背後から照明して呈示する。
１１は視標板４の視標面を照明する蛍光灯である。
【００１５】
２０は被検眼を固定するための顎載せ部であり、顎載せ部２０は基台１に固設された顎載せ支基２１、顎載せ支基２１に対して上下動可能な顎台２２、顎台２２を上下させる回転ノブ２３、顎載せ支基２１に垂設された２本の支柱２４、支柱２４の上端部に架設された架設部材２５から構成される。
【００１６】
３０は被検眼眼前に必要な光学素子を切換え配置する光学ユニットである。図３は光学ユニット３０の拡大外観斜視図である。
３１Ｒ，３１Ｌは同一円周上に複数の光学素子を持つディスク板であり、ディスク板３１Ｒ，３１Ｌは透明アクリル等の透明部材により形成されている。ディスク板３１Ｒ，３１Ｌに配置される光学素子は図４に示す通りである。４０は前述した検査距離５０ｃｍ用のランドルト環視標７を光学的に５ｍの検査距離にする５ｍ用レンズである。４１はランドルト環視標７を光学的に５ｍプラス１．０Ｄ（ディオプタ）分遠方に置く遠視レンズであり、遠視チェックに使用する。４２は遮蔽板である。４３は緑フィルタ、４４は赤フィルタであり、眼位検査時に使用する。４５は近用検査時に使用する開口である。
【００１７】
ディスク板３１Ｒ，３１Ｌはそれぞれパルスモ−タ３２Ｒ，３２Ｌの回転軸に取り付けられており、パルスモ−タ３２Ｒ，３２Ｌは吊下げ板３３Ｒ，３３Ｌに固着されている。吊下げ板３３Ｒ，３３Ｌはディスク板と同様に透明アクリル等の透明部材により形成されている。吊下げ板３３Ｒ，３３Ｌの上端はＰＤ調整部３４に吊下げ支持され、ＰＤ調整部３４の内部には両吊下げ板３３の間隔を調節する距離調整機構が内蔵されている。両吊下げ板３３の間隔調整移動はＰＤ調整ノブ３５を回すことにより行い、この両吊下げ板３３を移動させることによりディスク板３１Ｒ，３１Ｌを被検者の瞳孔間距離に応じて調整する。
【００１８】
なお、吊下げ板３３Ｒ，３３Ｌには図示なき透過型センサが取り付けられており、このセンサとディスク板３１Ｒ，３１Ｌに取り付けられた図示なき遮光板とによりディスク板３１Ｒ，３１Ｌの回転初期位置が検出される。
３６はＰＤ調整部３４に取り付けられた額当てであり、３７は光学ユニット３０を顎載せ部２０の架設部材２５に固定する取付け部材である。
【００１９】
５０はリモ−トコントロ−ラであり、図５はそのスイッチ構成を示す図である。５１は自動測定を開始させるスタ−トスイッチ、５２は被検者が答えたランドルト環の方向を入力するための方向入力スイッチ群であり、上下左右の４スイッチを有する。５３は遠視チェックを行う際に、被検者眼前に配置される遠視レンズ４１と５ｍ用レンズとを切り替えるためのスイッチである。５４、５５は遠視チェック、眼位検査の際にその判定を入力するＮＧスイッチ、ＯＫスイッチである。５６は検査結果を入力間違いしたときに使用する再検査スイッチであり、このスイッチを押すと検査状態は一回前に戻り、直前に押されたスイッチ信号はキャンセルされる。５７は検査プログラムを次に進めるためのスキップスイッチであり、５８は検査を終了する終了スイッチである。
【００２０】
５９はリモ−トコントロ−ラ５０と装置本体側とを接続するケ−ブルである。６０はプリンタ、６１は測定結果をＩＣカ−ドに書き込むためＩＣカ−ドライタ６１である。
【００２１】
図６は本装置の制御系ブロック図である。リモ−トコントロ−ラ５０のスイッチ信号は所定の処理が施され制御回路７０に入力される。制御回路７０は自動測定のためのプログラムを有しており、スイッチ５１の信号によりプログラムをスタ−トさせ、スイッチ５２〜５７の信号に基づいて駆動回路７１，７２、パルスモ−タ３２Ｒ，３２Ｌを駆動してディスク板３１を回転させ、被検眼眼前に配置する光学素子を切り替える。
【００２２】
また、制御回路７０はＬＥＤ駆動回路７３を介してＬＥＤ８を点灯し、視標を特定する。制御回路７０は呈示する視標情報と方向入力スイッチ群５２により入力される信号により被検者の応答の正誤を判定する。装置は正誤の判定結果に基づいてＬＥＤ８の点灯をプログラムにしたがって順次切り替える。
７４は眼位検査用蛍光灯、７５はその駆動回路である。７６は検査が終了したこと等を検査者に知らせるブザ−、７７はその駆動回路である。
【００２３】
以上のような構成の装置において、以下その動作を説明する。
検査者は、被検者眼を顎載せ部２０に位置させる（必要に応じ顎載せノブ２３、ＰＤ調整ノブ３５を回して、被検眼の高さ及びディスク板３１Ｒ，３１Ｌに配置する光学素子間距離を調整する）。被検者が顔を顎載せ部２０に位置させると、被検眼は透明のディスク板３１と、ディスク板３１の開口や光学部材を介し、開放された視野の中に視標板４を見ることができる。
【００２４】
被検者の準備が完了したら、検査者はスタ−トスイッチ５１を押して検査をスタ−トさせる。検査はまず、右眼の５ｍ検査から行われる。制御回路７０はスイッチ信号を受けてパルスモ−タ３２Ｒ，３２Ｌを駆動してディスク板３１Ｒ，３１Ｌを回転させ、被検者左眼眼前には遮蔽板４２を、右眼眼前には５ｍ用レンズ４０を配置する。また、制御回路７０は視標呈示部２の視力値０．７のランドルト環視標７中の一つのＬＥＤ８を点灯する。検査者は被検者の応答により、答えた方向を方向入力スイッチ群５２により入力する。制御回路７０はこの方向入力スイッチにより入力された応答の正誤を判定する。方向入力スイッチ群５２による応答が正しいときは一段階上の視力値のＬＥＤを順次点灯する。その後、応答に誤りがあったときは同じ視力値の別のＬＥＤを点灯し、３つのうち２回誤答があると、前回の呈示を視力値と判定する。また、初めの視力値０．７の呈示時点より誤りがあったときは、一段階下の視力値のＬＥＤを順次点灯し、その後、応答が正しいときは同一視力値の別のＬＥＤを点灯する。同一視力値の視標呈示で２回正答が得られれば一つ上の視力値に移り、同一視力値で２回誤答するまでステップアップする。２回誤答したら前回呈示の値を視力値と判定する。
【００２５】
５ｍ視力が決定されると、右眼の遠視チェックに移る。制御回路７０はパルスモ−タ３２Ｒを作動させ、右眼眼前に遠視レンズ４１を配置する。この遠視レンズ４１の配置により検査者は、右眼の５ｍ視力測定が終了したことを知ることができる。検査者は、遠視レンズ４１が配置された場合と、前回の５ｍ用レンズ４０の場合とどちらがはっきり視標が見えるか被検者に質問する。遠視レンズ４１のときと、５ｍ用レンズ４０のときとの見え方を確認するためにレンズ切替えが必要なときは、スイッチ５３によりレンズを入れ替える。遠視レンズ４１を配置したほうがはっきり見える場合は、「遠視眼」であると判定し、ＮＧスイッチ５４を押す。５ｍ用レンズ４０の方がはっきり見える場合は、ＯＫスイッチ５５を押す。
【００２６】
ＮＧスイッチ５４またはＯＫスイッチ５５が押されると、左眼の５ｍ検査に移る。制御回路７０はパルスモ−タ３２Ｒ，３２Ｌを作動させ、被検者左眼眼前には５ｍ用レンズ４０を、右眼眼前には遮蔽板４２をそれぞれ配置し、右眼の検査と同様な手順で検査を行う。
【００２７】
続いて、５ｍの両眼視力検査に移る。被検眼の両眼の前には５ｍ用レンズ４０が配置され、前述と同様の手順で両眼の視力値が判定される。
両眼５ｍの視力判定がなされた後、検査は５０ｃｍ視力検査に移行する。５０ｃｍ視力検査の場合、測定眼眼前には開口４５が配置される。検査は５ｍ検査と同様に右眼、左眼、両眼の順に進められ、方向入力スイッチ群５２による応答によりそれぞれの視力値が判定される。
【００２８】
最後に眼位検査が行われる。制御回路７０は両眼５０ｃｍ視力を判定した後、パルスモ−タを駆動して被検者左眼眼前にはディスク板３１Ｌ上の緑フィルタ４３を、右眼眼前にはディスク板３１Ｒ上の赤フィルタ４４を配置する。また、制御回路７０はＬＥＤ８の点灯を止め眼位検査用蛍光灯７４を点灯する。これにより、被検者右眼は赤色の点視標９ｂを、左眼は緑色の枠視標９ａを視認する。検査者は、緑色の枠視標９ａに対して赤色の点視標９ｂがどこに位置するかを被検者に質問し、赤色の点視標９ｂが緑枠視標９ａより外れて見える場合は眼位異常があると判定してＮＧスイッチ５４を、緑枠視標９ａ内に点視標９ｂが収まっている場合はＯＫスイッチ５５を押す。
【００２９】
眼位確認の判定スイッチ信号を受けた制御回路７０は、ブザ−７６に音を発生させることによりすべての検査が終了したことを検査者（及び被検者）に知らせる。検査結果は終了スイッチ５８を押すことによりプリンタ６０が駆動され、印字出力される。また、ＩＣカ−ドライタ６１にＩＣカ−ドが挿入されている場合は、これにデ−タ転送される。
以上の実施例では検査は自動測定としたが、全部または一部をマニュアル測定にしても良い。
【００３０】
【発明の効果】
以上説明したように、本発明の視力検査装置によれば、簡単な機構により遠用視力と近用視力の検査をコンパクトな一台の装置で行うことができる。
また、本発明によれば、被検眼眼前に配置されるレンズを保持する部材を透明にし、被検者の前方視野が解放されたので、機械近視の発生を抑えることができる。
【図面の簡単な説明】
【図１】実施例の装置の全体構成を説明する外観斜視図である。
【図２】視標板４の視標を説明する図である。
【図３】光学ユニット３０の拡大外観斜視図である。
【図４】ディスク板３１Ｒ，３１Ｌに配置される光学素子を示す図である。
【図５】リモ−トコントロ−ラのスイッチ構成を示す図である
【図６】本装置の制御系ブロック図である。
【符号の説明】
２  視標呈示部
４  視標板
３０  光学ユニット
３１Ｒ，３１Ｌ  ディスク板
４０  ５ｍ用レンズ
４１  遠視レンズ
【図１】
0003580870.tif 000002
【図２】
0003580870.tif 000003
【図３】
0003580870.tif 000004
【図４】
0003580870.tif 000005
【図５】
0003580870.tif 000006
【図６】
0003580870.tif 000007